(57)【要約】【課題】  仕切壁による見栄えの悪化を解消しながら、小物類を区分けして収納することができる車両用トレイを提供する。【解決手段】  矩形状に形成されたトレイ本体１１の底部には、その略中央部を頂部として突出しかつ四辺又は四隅に向けてそれぞれ下傾する第１〜第４の傾斜面２３〜２６が形成され、第１〜第４の傾斜面２３〜２６上に小物類が区分けされて収納される構成にしてある。【選択図】        図１
2006111114.tif 000002
【特許請求の範囲】
【請求項１】
車室内に設けられる車両用トレイであって、
矩形状に形成されたトレイ本体の底部には、その略中央部を頂部として突出しかつ四辺又は四隅に向けてそれぞれ下傾する第１〜第４の傾斜面が形成され、
前記第１〜第４の傾斜面上に小物類が区分けされて収納される構成にしてあることを特徴とする車両用トレイ。
【請求項２】
請求項１に記載の車両用トレイであって、
トレイ本体の底部には、第１〜第４の傾斜面の頂部を通って一方向に延び、かつ筆記具等の長尺小物類が収納可能な凹部が形成されていることを特徴とする車両用トレイ。
【請求項３】
請求項１又は２に記載の車両用トレイであって、
第１〜第４の傾斜面のうち、隣接する二つの傾斜面に跨ってカード類が抜き差し可能に保持されるポケット部が形成されていることを特徴とする車両用トレイ。
【発明の詳細な説明】
【技術分野】
【０００１】
この発明は車両の室内に設置される車両用トレイに関する。
【背景技術】
【０００２】
この種の車両用トレイにおいては、例えば、インスツルメントパネルの上面、コンソールボックス、リアアームレスト、運転席と助手席との間に設置されたテーブル等に設けられる。
このような車両用トレイにおいて、トレイ本体の底面上に仕切壁を突設することで、トレイ本体を複数に区画し、これら複数の区画部にコイン、タバコ、ライタ、携帯電話等の小物類を区分けして収納するよに構成した車両用トレイが知られている（例えば、特許文献１参照）。
また、トレイ本体の底面上に、コイン、タバコ、ライタ、携帯電話等の小物類を区分けすることなく収納するように構成した車両用トレイが知られている（例えば、特許文献２参照）。
【特許文献１】特開平１０−２３０７９３号公報
【特許文献２】特開２００３−２６７１１１号公報
【発明の開示】
【発明が解決しようとする課題】
【０００３】
ところで、トレイ本体の底面上に仕切壁を設けた車両用トレイにおいては、仕切壁によって見栄えが悪化されたり、あるいは、仕切壁が妨害物となって特定の小物類（例えば、比較的大きい小物類や長尺小物類）が収納できなくなる場合がある。
また、トレイ本体の底面上に、小物類を区分けすることなく収納するように構成した車両用トレイにおいては、仕切壁による見栄えの悪化が解消される。
しかしながら、車両の発進時、走行時の振動、制動時等において、トレイ本体の底面上の複数の小物類が相互に重り合って取り出しにくくなったり、あるいは複数の小物類が相互に衝突して異音を発生する場合がある。
【０００４】
この発明の目的は、前記問題点に鑑み、仕切壁による見栄えの悪化を解消しながら、小物類を区分けして収納することができる車両用トレイを提供することである。
【課題を解決するための手段】
【０００５】
前記目的を達成するために、この発明の請求項１に係る車両用トレイは、車室内に設けられる車両用トレイであって、
矩形状に形成されたトレイ本体の底部には、その略中央部を頂部として突出しかつ四辺又は四隅に向けてそれぞれ下傾する第１〜第４の傾斜面が形成され、
前記第１〜第４の傾斜面上に小物類が区分けされて収納される構成にしてあることを特徴とする。
【０００６】
前記構成において、トレイ本体の底部の第１〜第４の傾斜面上に、複数の小物類がそれぞれ載置されることで、これら複数の小物類が第１〜第４の傾斜面の下傾端であるトレイ本体の四辺又は四隅に沿って収納される。
このようにして、第１〜第４の傾斜面によって、複数の小物類をトレイ本体の四辺又は四隅に沿わせて保持することができる。
また、車両の発進時、走行時の振動、制動時等において、小物類が移動することを第１〜第４の傾斜面の傾斜によって抑制することができる。
【０００７】
請求項２に係る車両用トレイは、請求項１に記載の車両用トレイであって、
トレイ本体の底部には、前記第１〜第４の傾斜面の頂部を通って一方向に延び、かつ筆記具等の長尺小物類が収納可能な凹部が形成されていることを特徴とする。
したがって、一方向に延びる凹部内に筆記具等の長尺小物類を整然と収納することができるとともに、凹部の内壁面によって長尺小物類の移動を抑制することができる。
【０００８】
請求項３に係る車両用トレイは、請求項１又は２に記載の車両用トレイであって、
第１〜第４の傾斜面のうち、隣接する二つの傾斜面に跨ってカード類が抜き差し可能に保持されるポケット部が形成されていることを特徴とする。
したがって、隣接する二つの傾斜面に跨って形成されたポケット部に、道路通行券、ハイウエーカード等のカード類を差し込むことによって保持することができる。
また、ポケット部にカード類を湾曲状に弾性変形させて保持することも可能であり、この場合においては、ポケット部からカード類が不測に抜け出る不具合を防止することができる。
【発明の効果】
【０００９】
この発明によれば、仕切壁による見栄えの悪化を解消しながら、第１〜第４の傾斜面上に小物類を区分けして収納することができる。
しかも、車両の発進時、走行時の振動、制動時等において、小物類が移動することを第１〜第４傾斜面の傾斜によって抑制することができ、第１〜第４の傾斜面上の複数の小物類が相互に重り合ったり、衝突する不具合を防止することができる。
【発明を実施するための最良の形態】
【００１０】
次に、この発明を実施するための最良の形態を実施例にしたがって説明する。
【実施例１】
【００１１】
図１は車両用トレイのトレイ本体と底部構成体とを分離した状態を示す斜視図である。図２はトレイ本体に底部構成体を組み込んだ状態を示す斜視図である。図３は車両用トレイの平面図である。図４は図３のＩＶ−ＩＶ線に基づく縦断面図である。図５は図３のＶ−Ｖ線に基づく横断面図である。図６は図３のＶＩ−ＶＩ線に基づく横断面図である。図７は作用説明図である。
図１に示すように、車両用トレイ１０は、トレイ本体１１と底部構成体２０を主体として構成されている。
トレイ本体１１は、合成樹脂材によって一体成形されるとともに、底板１２、前壁１３、後壁１４及び左右の両側壁１５を備えて矩形の箱形あるいは皿形状をなしている。
なお、車両用トレイ１０は、例えば、インスツルメントパネルの上面、コンソールボックス、リアアームレスト、運転席と助手席との間に設置されたテーブル等に適宜の固定手段によって装着される。
【００１２】
図１と図２に示すように、トレイ本体１１の底部を構成する底部構成体２０は、トレイ本体１１の底板１２上に着脱可能に嵌込まれる大きさの矩形に形成されている。
トレイ本体１１の底部をなす底部構成体２０の上面は、その略中央部（対角線の交点又はその近傍）を頂部として山形状に突出されている。そして、底部構成体２０には、その頂部からトレイ本体１１の四隅に向けて左右方向並びに前後方向にそれぞれ下傾する第１の傾斜面２３、第２の傾斜面２４、第３の傾斜面２５及び第４の傾斜面２６が形成されている。これら第１〜第４の傾斜面２３〜２６上にはコイン４０、タバコ４１、ライタ、携帯電話等の小物類が区分けされて収納されるようになっている。
【００１３】
また、この実施例において、底部構成体２０の左右方向中央部には、第１〜第４の傾斜面２３〜２６の頂部を通って前後方向に延び、かつ筆記具４６等の長尺小物類が収納可能な長尺小物類用凹部２８が形成されている。
この長尺小物類用凹部２８の左右の両内壁面２９の間隔は、中央部が狭く前後両端部あるいは、一方端部に向けてしだいに広くなった湾曲形状に形成されている。
【００１４】
また、第１〜第４の傾斜面２３〜２６のうち、隣接する二つの傾斜面、この実施例では図３に向かって左側の第３の傾斜面２５と第４の傾斜面２６の下傾側部分に跨ってポケット部３１を形成するためのシート３０が張設されている。そして、ポケット部３１には、道路通行券、ハイウエーカード等のカード類５０が抜き差し可能に保持されるようになっている。
また、この実施例において、底部構成体２０の第１〜第４の傾斜面２３〜２６及び長尺小物類用凹部２８の全表面が、ファブリック、皮革等の表皮２１によって覆われており、意匠性が高められている。
また、ポケット部３１において、カード類の抜き差しによって表皮２１に擦り傷等が発生しないように、そのポケット部３１の出入口に対応する第３の傾斜面２５と第４の傾斜面２６の部分には、例えば、ステンレス板等の傷つきにくい材質の保護板３２が貼り付けられている（図３及び図５参照）。
【００１５】
上述したように構成されるこの実施例に係る車両用トレイ１０において、トレイ本体１１の底部に組み込まれた底部構成体２０の第１〜第４の傾斜面２３〜２６上には、例えば、コイン４０、タバコ４１、ライタ、携帯電話等の小物類が区分けされて収納される。
例えば、図７に示すように、第１の傾斜面２３上にコイン４０が収納され、第２の傾斜面２４上にはタバコ４１が収納される。
このようにして、第１〜第４の傾斜面２３〜２６によって、複数の小物類をトレイ本体１１の四隅に沿わせて保持することができる。このため、車両の発進時、走行時の振動、制動時等において、小物類が移動することを第１〜第４の傾斜面２３〜２６の傾斜によって抑制することができる。
したがって、従来と異なり、仕切壁による見栄えの悪化を解消しながら、第１〜第４の傾斜面２３〜２６上に小物類を区分けして収納することができる。
しかも、車両の発進時、走行時の振動、制動時等において、小物類が移動することを第１〜第４の傾斜面２３〜２６の傾斜によって抑制することができ、第１〜第４の傾斜面２３〜２６上の複数の小物類が相互に重り合ったり、衝突する不具合を防止することができる。
【００１６】
また、この実施例において、底部構成体２０の長尺小物類用凹部２８には、筆記具４６等の長尺小物類が整然と収納されるとともに、長尺小物類用凹部２８の相対する内壁面２９によって筆記具４６等の長尺小物類の移動を抑制することができる。
さらに、長尺小物類用凹部２８の左右の両内壁面２９の間隔は、中央部が狭く前後両端部あるいは、一方端部に向けてしだいに広くなった湾曲形状に形成されている。このため、両内壁面２９の間隔が狭い中央部において筆記具４６等の長尺小物類の横移動を良好に防止しながら、両内壁面２９の間隔が広くなった端部において筆記具４６を容易につまんで取り出すことができる。
【００１７】
また、この実施例において、図７に向かって左側の第３の傾斜面２５と第４の傾斜面２６の下傾側部分に跨って形成されたポケット部３１に、道路通行券、ハイウエーカード等のカード類５０を抜き差し可能に保持することができる。
また、ポケット部３１にカード類５０を湾曲状に弾性変形させて保持することも可能であり、この場合においては、ポケット部３１からカード類５０が不測に抜け出る不具合を防止することができる。
また、ポケット部３１の出入口に貼り付けられた保護板３２によって第３の傾斜面２５と第４の傾斜面２６の表面を保護することができる。
【００１８】
なお、この発明は前記実施例に限定するものではない。
例えば、前記実施例においては、インスツルメントパネルの上面、コンソールボックス、リアアームレスト、運転席と助手席との間に設置されたテーブル等に適宜の固定手段によって装着される車両用トレイ１０である場合を例示したが、インスツルメントパネルの上面、リアアームレスト、運転席と助手席との間に設置されたテーブル等にトレイ本体１１を一体に形成してもこの発明を実施することができる。
【００１９】
また、前記実施例においては、トレイ本体１１の底部を構成するための底部構成体２０の頂部からトレイ本体１１の四隅に向けて左右方向並びに前後方向にそれぞれ下傾する第１の傾斜面２３、第２の傾斜面２４、第３の傾斜面２５及び第４の傾斜面２６が形成される場合を例示したが、図８に示すように、底部構成体１２０の中央部の頂部からトレイ本体１１の四辺に向けて下傾する第１の傾斜面１２３、第２の傾斜面１２４、第３の傾斜面１２５及び第４の傾斜面１２６が形成される場合においてもこの発明を実施することができる。すなわち、この場合には、各種の小物類４５を第１〜第４の傾斜面１２３〜１２６の下傾端である４辺に寄せて保持することができる。
また、底部構成体１２０の第１〜第４の傾斜面１２３〜１２６の頂部を通って一方の対角線上に延び、かつ筆記具４６等の長尺小物類が収納可能な長尺小物類用凹部１２８を形成することができる。
【００２０】
また、前記長尺小物類用凹部２８（又は１２８）が形成されない構造であってもこの発明を実施することができる。
また、トレイ本体１１の底部を、トレイ本体１１とは別体の底部構成体２０（又は１２０）によって構成される場合を例示したが、底部構成体２０（又は１２０）を用いることなく、トレイ本体１１の底部に、第１の傾斜面２３〜２６（又は１２３〜１２６）を直接形成してもよい。
また、既製のトレイ本体に対応する大きさに底部構成体２０（又は１２０）を形成して組み込むことによってもこの発明を実施することができる。
【図面の簡単な説明】
【００２１】
【図１】この発明の実施例に係る車両用トレイのトレイ本体と底部構成体とを分離した状態を示す斜視図である。
【図２】同じくトレイ本体に底部構成体を組み込んだ状態を示す斜視図である。
【図３】同じく車両用トレイの平面図である。
【図４】同じく図３のＩＶ−ＩＶ線に基づく縦断面図である。
【図５】同じく図３のＶ−Ｖ線に基づく横断面図である。
【図６】同じく図３のＶＩ−ＶＩ線に基づく横断面図である。
【図７】同じく作用説明図である。
【図８】この発明の他の実施例を示す車両用トレイの縦断面図である。
【符号の説明】
【００２２】
１０  車両用トレイ
１１  トレイ本体
２０  底部構成体
２３  第１の傾斜面
２４  第２の傾斜面
２５  第３の傾斜面
２６  第４の傾斜面
２８  長尺小物類用凹部
２９  内壁面
３１  ポケット部
３２  保護板
４０  コイン（小物類）
４１  タバコ（小物類）
４６  筆記具（長尺小物類）
５０  カード類
【図１】
2006111114.tif 000003
【図２】
2006111114.tif 000004
【図３】
2006111114.tif 000005
【図４】
2006111114.tif 000006
【図５】
2006111114.tif 000007
【図６】
2006111114.tif 000008
【図７】
2006111114.tif 000009
【図８】
2006111114.tif 000010